(57)【要約】  本発明は、無線充電技術分野に関し、無線充電システム、無線充電装置及び無線受電装置を提供する。上記無線充電システムは、無線充電装置と、無線受電装置と、を含み、無線充電装置は、無線周波数送信アンテナを備える無線充電モジュールと、第１の機能モジュールと、第１の通信モジュールと、を含み、無線受電装置は、無線周波数受信アンテナを備える無線受電モジュールと、第２の機能モジュールと、第２の通信モジュールと、を含み、無線充電モジュールは、無線周波数送信アンテナを介して無線受電装置に給電し、第１の機能モジュールと第２の機能モジュールとの間の通信は、第１の通信モジュール及び第２の通信モジュールによって行われる。無線周波数送信アンテナを介して無線受電モジュールに給電し、無線充電装置と無線受電装置との間の遠距離の無線充電を実現することによって、無線充電装置に無線受電装置の第１の機能モジュールを設け、無線受電装置の使用時におけるフレキシビリティを向上させることができる。【選択図】図１
2021525052.tif 000002
【特許請求の範囲】
【請求項１】
無線充電システムであって、
無線充電装置と、無線受電装置と、を含み、
前記無線充電装置は、無線周波数送信アンテナを備える無線充電モジュールと、第１の機能モジュールと、第１の通信モジュールと、を含み、
前記無線受電装置は、無線周波数受信アンテナを備える無線受電モジュールと、第２の機能モジュールと、第２の通信モジュールと、を含み、
前記無線充電モジュールは、前記無線周波数送信アンテナを介して前記無線受電装置に電力を供給し、
前記無線受電モジュールは、前記無線周波数受信アンテナを介して前記無線充電装置からの前記電力を受信し、
前記第１の機能モジュールは、機能セットにおける第１の機能サブセットを実現し、
前記第２の機能モジュールは、前記機能セットにおける第２の機能サブセットを実現し、
前記第１の機能モジュールと前記第２の機能モジュールとの間の通信は、前記第１の通信モジュール及び前記第２の通信モジュールによって行われる
ことを特徴とする無線充電システム。
【請求項２】
前記機能セットは、
センサー機能、表示機能、画像取得機能、オーディオ再生機能、オーディオ取得機能、電話通信機能、ネットワーク通信機能のうちの少なくとも１つを含む
ことを特徴とする請求項１に記載の無線充電システム。
【請求項３】
前記無線充電装置は、プロセッサーをさらに含み、
前記第１の機能モジュールは、前記プロセッサーにより送信されたトリガ信号を受信し、前記トリガ信号に対応する処理を実行する
ことを特徴とする請求項２に記載の無線充電システム。
【請求項４】
前記第２の機能モジュールは、前記表示機能を実現するディスプレイを含み、
前記プロセッサーは、前記第１の通信モジュールを介して表示信号を前記第２の通信モジュールに送信し、
前記ディスプレイは、前記第２の通信モジュールを介して受信した前記表示信号に基づいて、対応する内容を表示する
ことを特徴とする請求項３に記載の無線充電システム。
【請求項５】
前記ディスプレイは、タッチ機能を有するタッチディスプレイであり、
前記ディスプレイは、タッチ信号をさらに受信し、
前記ディスプレイは、前記第２の通信モジュールを介して前記タッチ信号を前記第１の通信モジュールにさらに送信し、
前記プロセッサーは、
前記第１の通信モジュールを介して受信した前記タッチ信号に基づいて前記トリガ信号を生成し、前記トリガ信号を前記第１の機能モジュールに送信する
ことを特徴とする請求項４に記載の無線充電システム。
【請求項６】
前記第１の機能モジュールは、
前記トリガ信号を受信し、前記トリガ信号に対応する処理を実行した後、処理結果を生成し、前記処理結果を前記プロセッサーに送信し、
前記プロセッサーは、
前記処理結果に基づいて前記表示信号を生成し、前記第１の通信モジュールを介して前記表示信号を前記第２の通信モジュールに送信する
ことを特徴とする請求項４に記載の無線充電システム。
【請求項７】
前記第１の機能モジュールは、センサーユニット、画像取得ユニット、スピーカーユニット、オーディオ取得ユニット、ネットワーク通信ユニットのうちの少なくとも１つを含み、
前記センサーユニットは、前記センサー機能を実現し、
前記画像取得ユニットは、前記画像取得機能を実現し、
前記スピーカーユニットは、前記オーディオ再生機能を実現し、
前記オーディオ取得ユニットは、前記オーディオ取得機能を実現し、
前記ネットワーク通信ユニットは、前記ネットワーク通信機能を実現する
ことを特徴とする請求項３から請求項６のいずれか一項に記載の無線充電システム。 
【請求項８】
前記センサーユニットは、
前記第１の機能モジュールが前記センサーユニットを含む場合、重力センサー、温度センサー、光センサー、距離センサー、加速度センサーのうちの少なくとも１つを含む
ことを特徴とする請求項７に記載の無線充電システム。
【請求項９】
前記画像取得ユニットは、
前記第１の機能モジュールが前記画像取得ユニットを含む場合、画像を取得し、取得した対象画像を前記プロセッサーに送信し、
前記プロセッサーは、
前記対象画像に基づいて対応する表示信号を生成し、前記第１の通信モジュールを介して前記表示信号を前記第２の通信モジュールに送信し、
前記ディスプレイは、
前記第２の通信モジュールを介して受信した前記表示信号に基づいて、前記対象画像を表示する
ことを特徴とする請求項７に記載の無線充電システム。
【請求項１０】
前記第１の通信モジュールと前記第２の通信モジュールとの間の通信は、超広帯域無線のキャリアフリー通信方式によって行われる
ことを特徴とする請求項１から請求項６のいずれか一項に記載の無線充電システム。
【請求項１１】
前記無線受電モジュールは、バッテリーをさらに含み、
前記無線充電モジュールは、前記無線周波数送信アンテナを介して前記無線受電装置の前記バッテリーに対し、無線を用いて電力を供給し、
前記無線受電モジュールは、
前記無線周波数受信アンテナを介して前記無線充電装置から前記バッテリーへの前記電力を受信し、前記バッテリーによって前記無線受電装置に給電する
ことを特徴とする請求項１から請求項６のいずれか一項に記載の無線充電システム。
【請求項１２】
前記無線充電装置は、第１のウェアラブルデバイスとして実現され、
前記無線受電装置は、ハンドヘルドデバイス、または第２のウェアラブルデバイスとして実現される
ことを特徴とする請求項１から請求項６のいずれか一項に記載の無線充電システム。
【請求項１３】
前記無線充電装置が前記第１のウェアラブルデバイスとして実現され、前記無線受電装置が前記第２のウェアラブルデバイスとして実現される場合、
前記無線充電装置の装着方式には、手首に巻き付けて装着される方式が含まれ、
前記無線受電装置の装着方式には、スマートメガネの形態で装着される方式が含まれる
ことを特徴とする請求項１２に記載の無線充電システム。
【請求項１４】
無線充電装置であって、
前記無線充電装置は、無線周波数送信アンテナを備える無線充電モジュールと、第１の機能モジュールと、第１の通信モジュールと、を含み、
前記無線充電モジュールは、前記無線周波数送信アンテナを介して無線受電装置に給電し、
前記第１の機能モジュールは、機能セットにおける第１の機能サブセットを実現し、
前記第１の機能モジュールは、前記第１の通信モジュールを介して前記無線受電装置の第２の通信モジュールと通信する
ことを特徴とする無線充電装置。
【請求項１５】
前記機能セットは、
センサー機能、表示機能、画像取得機能、オーディオ再生機能、オーディオ取得機能、電話通信機能、ネットワーク通信機能のうちの少なくとも一つを含む
ことを特徴とする請求項１４に記載の無線充電装置。
【請求項１６】
前記無線充電装置は、プロセッサーをさら含み、
前記第１の機能モジュールは、前記プロセッサーにより送信されたトリガ信号を受信し、前記トリガ信号に対応する処理を実行する
ことを特徴とする請求項１５に記載の無線充電装置。
【請求項１７】
前記第１の機能モジュールは、
前記トリガ信号を受信し、前記トリガ信号に対応する処理を実行した後、処理結果を生成し、前記処理結果を前記プロセッサーに送信し、
前記プロセッサーは、
前記処理結果に基づいて表示信号を生成し、前記第１の通信モジュールを介して前記表示信号を前記無線受電装置に送信する
ことを特徴とする請求項１６に記載の無線充電装置。
【請求項１８】
前記第１の機能モジュールは、センサーユニット、画像取得ユニット、スピーカーユニット、オーディオ取得ユニット、ネットワーク通信ユニットのうちの少なくとも一つを含み、
前記センサーユニットは、前記センサー機能を実現し、
前記画像取得ユニットは、前記画像取得機能を実現し、
前記スピーカーユニットは、前記オーディオ再生機能を実現し、
前記オーディオ取得ユニットは、前記オーディオ取得機能を実現し、
前記ネットワーク通信ユニットは、前記ネットワーク通信機能を実現する
ことを特徴とする請求項１６または１７に記載の無線充電装置。
【請求項１９】
前記画像取得ユニットは、
前記第１の機能モジュールが前記画像取得ユニットを含む場合、画像を取得し、取得した対象画像を前記プロセッサーに送信し、
前記プロセッサーは、
前記対象画像に基づいて対応する表示信号を生成し、前記第１の通信モジュールを介して前記表示信号を前記無線受電装置に送信し、
前記表示信号は、前記無線受電装置のディスプレイが前記対象画像を表示するように制御するための信号である
ことを特徴とする請求項１８に記載の無線充電装置。
【請求項２０】
前記第１の通信モジュールは、超広帯域無線のキャリアフリー通信方式によって前記無線受電装置の前記第２の通信モジュールと通信する
ことを特徴とする請求項１４から請求項１７のいずれか一項に記載の無線充電装置。
【請求項２１】
前記無線充電装置は、ウェアラブルデバイスとして実現され、
前記無線充電装置の装着方式には、手首に巻きつけて装着される方式が含まれる
ことを特徴とする請求項１４から請求項１７のいずれか一項に記載の無線充電装置。
【請求項２２】
無線受電装置であって、
前記無線受電装置は、無線周波数受信アンテナを備える無線受電モジュールと、第２の機能モジュールと、第２の通信モジュールと、を含み、
前記無線受電モジュールは、前記無線周波数受信アンテナを介して無線充電装置から供給された電力を受信し、
前記第２の機能モジュールは、機能セットにおける第２の機能サブセットを実現し、
前記第２の機能モジュールは、前記第２の通信モジュールを介して前記無線充電装置の第１の通信モジュールと通信する
ことを特徴とする無線受電装置。
【請求項２３】
前記機能セットは、
センサー機能、表示機能、画像取得機能、オーディオ再生機能、オーディオ取得機能、電話通信機能、ネットワーク通信機能のうちの少なくとも一つを含む
ことを特徴とする請求項２２に記載の無線受電装置。
【請求項２４】
前記第２の機能モジュールは、表示機能を実現するディスプレイを含み、
前記ディスプレイは、前記第２の通信モジュールを介して受信した表示信号に基づいて、対応する内容を表示する
ことを特徴とする請求項２２に記載の無線受電装置。
【請求項２５】
前記ディスプレイは、タッチ機能を有するタッチディスプレイであり、
前記ディスプレイは、タッチ信号をさらに受信し、
前記ディスプレイは、前記第２の通信モジュールを介して前記タッチ信号を前記第１の通信モジュールにさらに送信し、
前記無線充電装置は、
前記第１の通信モジュールを介して受信した前記タッチ信号に基づいてトリガ信号を生成し、前記トリガ信号を第１の機能モジュールに送信する
ことを特徴とする請求項２４に記載の無線受電装置。
【請求項２６】
前記第２の通信モジュールは、超広帯域無線のキャリアフリー通信方式によって前記無線充電装置と通信する
ことを特徴とする請求項２２から請求項２５のいずれか一項に記載の無線受電装置。
【請求項２７】
前記無線受電モジュールには、バッテリーをさらに含み、
前記無線受電モジュールは、
前記無線周波数受信アンテナを介して前記無線充電装置から前記バッテリーへ供給された電力を受信し、前記バッテリーが前記無線受電装置に給電する
ことを特徴とする請求項２２から請求項２５のいずれか一項に記載の無線受電装置。
【請求項２８】
前記無線受電装置は、ハンドヘルドデバイス、またはウェアラブルデバイスとして実現され、
前記無線受電装置の装着方式には、前記無線受電装置が前記ウェアラブルデバイスとして実現される場合、スマートメガネの形態で装着される方式が含まれる
ことを特徴とする請求項２２から請求項２５のいずれか一項に記載の無線受電装置。
【発明の詳細な説明】
【技術分野】
【０００１】
本発明は、無線充電技術分野に関し、特に、無線充電システム、無線充電装置及び無線受電装置に関する。
【背景技術】
【０００２】
無線充電技術は、携帯電話、タブレットＰＣ、ノートパソコンなどの様々な移動端末の充電処理に適用される技術である。
【０００３】
関連技術において、無線充電装置及び無線受電装置を含む無線充電技術が提供される。無線充電装置は、充電コイルを備え、無線受電装置は、受電コイル及びバッテリーを備える。
【０００４】
しかしながら、現在、無線充電を行う場合、無線充電処理が電磁誘導によって実現されるので、無線充電装置と無線受電装置との間の距離を短い距離範囲内に維持する必要がある。無線充電装置のフレキシビリティが低い場合、無線受電装置のフレキシビリティも低くなる。
【発明の概要】
【発明が解決しようとする課題】
【０００５】
本発明に係る実施例は、無線充電装置のフレキシビリティが低い場合、無線受電装置のフレキシビリティも低くなるという問題を解決できる無線充電システム、無線充電装置及び無線受電装置を提供する。
【課題を解決するための手段】
【０００６】
本技術は、以下である。本発明の第１の態様により、無線充電装置と、無線受電装置とを含む無線充電システムを提供する。
【０００７】
無線充電装置は、無線周波数（ＲＦ）送信アンテナを備える無線充電モジュールと、第１の機能モジュールと、第１の通信モジュールと、を含み、
無線受電装置は、無線周波数受信アンテナを備える無線受電モジュールと、第２の機能モジュールと、第２の通信モジュールと、を含み、
無線充電モジュールは、無線周波数送信アンテナを介して無線受電装置に電力を供給し、無線受電モジュールは、無線周波数受信アンテナを介して無線充電装置から電力を受信し、
第１の機能モジュールは、機能セットにおける第１の機能サブセットを実現し、第２の機能モジュールは、機能セットにおける第２の機能サブセットを実現し、
第１の機能モジュールと第２の機能モジュールとの間の通信は、第１の通信モジュール及び第２の通信モジュールによって行われる。
【０００８】
代替的な一実施例において、機能セットは、センサー機能、表示機能、画像取得機能、オーディオ再生機能、オーディオ取得機能、電話通信機能、ネットワーク通信機能のうちの少なくとも１つを含む。
【０００９】
代替的な一実施例において、無線充電装置は、演算機能を実現するプロセッサーをさらに含み、
第１の機能モジュールは、プロセッサーにより送信されるトリガ信号を受信し、トリガ信号に対応する処理を実行する。
【００１０】
代替的な一実施例において、第２の機能モジュールは、表示機能を実現するディスプレイを含み、
プロセッサーは、第１の通信モジュールを介して表示信号を第２の通信モジュールに送信し、ディスプレイは、第２の通信モジュールを介して受信した表示信号に基づいて、対応する内容を表示する。
【００１１】
代替的な一実施例において、ディスプレイは、タッチ機能を有するタッチディスプレイであり、
ディスプレイは、タッチ信号をさらに受信し、
ディスプレイは、第２の通信モジュールを介してタッチ信号を第１の通信モジュールにさらに送信し、
プロセッサーは、第１の通信モジュールを介して受信したタッチ信号に基づいてトリガ信号を生成し、トリガ信号を第１の機能モジュールに送信する。
【００１２】
代替的な一実施例において、第１の機能モジュールは、トリガ信号を受信し、トリガ信号に対応する処理を実行した後、処理結果を生成し、処理結果をプロセッサーに送信し、
プロセッサーは、処理結果に基づいて表示信号を生成し、第１の通信モジュールを介して表示信号を第２の通信モジュールに送信する。
【００１３】
代替的な一実施例において、第１の機能モジュールは、センサーユニット、画像取得ユニット、スピーカーユニット、オーディオ取得ユニット、ネットワーク通信ユニットのうちの少なくとも１つを含み、
ここで、センサーユニットは、センサー機能を実現し、画像取得ユニットは、画像取得機能を実現し、スピーカーユニットは、オーディオ再生機能を実現し、オーディオ取得ユニットは、オーディオ取得機能を実現し、ネットワーク通信ユニットは、ネットワーク通信機能を実現する。
【００１４】
代替的な一実施例において、センサーユニットは、第１の機能モジュールがセンサーユニットを含む場合、重力センサー、温度センサー、光センサー、距離センサー、加速度センサーのうちの少なくとも１つを含む。
【００１５】
代替的な一実施例において、画像取得ユニットは、第１の機能モジュールが画像取得ユニットを含む場合、画像を取得し、取得された対象画像をプロセッサーに送信し、
プロセッサーは、対象画像に基づいて対応する表示信号を生成し、第１の通信モジュールを介して表示信号を第２の通信モジュールに送信し、
ディスプレイは、第２の通信モジュールを介して受信した表示信号に基づいて、対象画像を表示する。
【００１６】
代替的な一実施例において、第１の通信モジュールと第２の通信モジュールとの間の通信は、超広帯域無線のキャリアレス通信方式によって行われる。
【００１７】
代替的な一実施例において、無線受電モジュールは、バッテリーをさらに含み、
無線充電モジュールは、無線周波数送信アンテナを介して無線受電装置のバッテリーに、無線を用いて電力を供給し、
無線受電モジュールは、無線周波数受信アンテナを介して無線充電装置からバッテリーへ供給された電力を受信し、バッテリーが無線受電装置に給電する。
【００１８】
代替的な一実施例において、無線充電装置は、第１のウェアラブルデバイスとして実現され、
無線受電装置は、ハンドヘルドデバイスまたは第２のウェアラブルデバイスとして実現される。
【００１９】
代替的な一実施例において、無線充電装置が第１のウェアラブルデバイスとして実現され、無線受電装置が第２のウェアラブルデバイスとして実現される場合、無線充電装置の装着方式は、手首に巻き付けて装着される方式が含まれ、無線受電装置の装着方式には、スマートメガネの形態で装着される方式が含まれる。
【００２０】
本発明に係る他の態様により、無線充電装置を提供する。無線充電装置は、無線周波数送信アンテナを備える無線充電モジュールと、第１の機能モジュールと、第１の通信モジュールと、を含み、
無線充電モジュールは、無線周波数送信アンテナを介して無線受電装置に給電し、
第１の機能モジュールは、機能セットにおける第１の機能サブセットを実現し、
第１の機能モジュールは、第１の通信モジュールを介して無線受電装置の第２の通信モジュールと通信する。
【００２１】
代替的な一実施例において、機能セットは、
センサー機能、表示機能、画像取得機能、オーディオ再生機能、オーディオ取得機能、電話通信機能、ネットワーク通信機能のうちの少なくとも一つを含む。
【００２２】
代替的な一実施例において、無線充電装置は、演算機能を実現するプロセッサーをさらに含み、
第１の機能モジュールは、プロセッサーにより送信されたトリガ信号を受信し、トリガ信号に対応する処理を実行する。
【００２３】
代替的な一実施例において、第１の機能モジュールは、トリガ信号を受信し、トリガ信号に対応する処理を実行した後、処理結果を生成し、処理結果をプロセッサーにさらに送信し、
プロセッサーは、処理結果に基づいて表示信号を生成し、第１の通信モジュールを介して表示信号を無線受電装置に送信する。
【００２４】
代替的な一実施例において、第１の機能モジュールは、センサーユニット、画像取得ユニット、スピーカーユニット、オーディオ取得ユニット、ネットワーク通信ユニットのうちの少なくとも一つを含み、
ここで、センサーユニットは、センサー機能を実現し、画像取得ユニットは、画像取得機能を実現し、スピーカーユニットは、オーディオ再生機能を実現し、オーディオ取得ユニットは、オーディオ取得機能を実現し、ネットワーク通信ユニットは、ネットワーク通信機能を実現する。
【００２５】
代替的な一実施例において、画像取得ユニットは、第１の機能モジュールが画像取得ユニットを含む場合、画像を取得し、取得しれた対象画像をプロセッサーに送信し、
プロセッサーは、対象画像に基づいて対応する表示信号を生成し、第１の通信モジュールを介して表示信号を無線受電装置に送信し、表示信号は、無線受電装置のディスプレイが対象画像を表示するように制御するためのものである。
【００２６】
代替的な一実施例において、第１の通信モジュールは、超広帯域無線のキャリアフリー通信方式によって無線受電装置の第２の通信モジュールと通信する。
【００２７】
代替的な一実施例において、無線充電装置がウェアラブルデバイスとして実現され、無線充電装置の装着方式には、手首に巻き付けて装着される方式が含まれる。
【００２８】
本発明に係る他の態様により、無線受電装置を提供する。無線受電装置は、無線周波数受信アンテナを備える無線受電モジュールと、第２の機能モジュールと、第２の通信モジュールと、を含み、
無線受電モジュールは、無線周波数受信アンテナを介して無線充電装置から供給された電力を受信し、
第２の機能モジュールは、機能セットにおける第２の機能サブセットを実現し、
第２の機能モジュールは、第２の通信モジュールを介して無線充電装置の第１の通信モジュールと通信する。
【００２９】
代替的な一実施例において、機能セットは、
センサー機能、表示機能、画像取得機能、オーディオ再生機能、オーディオ取得機能、電話通信機能、ネットワーク通信機能のうちの少なくとも一つを含む。
代替的な一実施例において、第２の機能モジュールは、表示機能を実現するディスプレイを含み、
ディスプレイは、第２の通信モジュールを介して受信した表示信号に基づいて、対応する内容を表示する。
【００３０】
代替的な一実施例において、ディスプレイは、タッチ機能を有するタッチディスプレイであり、
ディスプレイは、タッチ信号をさらに受信し、
ディスプレイは、第２の通信モジュールを介してタッチ信号を第１の通信モジュールにさらに送信し、
無線充電装置は、第１の通信モジュールを介して受信されたタッチ信号に基づいてトリガ信号を生成し、トリガ信号を第１の機能モジュールに送信する。
【００３１】
代替的な一実施例において、第２の通信モジュールは、超広帯域無線のキャリアフリー通信方式によって無線充電装置と通信する。
【００３２】
代替的な一実施例において、無線受電モジュールは、バッテリーをさらに含み、
無線受電モジュールは、無線周波数受信アンテナによって無線充電装置からバッテリーへ供給された電力を受信し、バッテリーが無線受電装置に給電する。
【００３３】
代替的な一実施例において、無線受電装置は、ハンドヘルドデバイスまたはウェアラブルデバイスとして実現され、
無線受電装置の装着方式には、無線受電装置がウェアラブルデバイスとして実現される場合、スマートメガネの形態で装着される方式が含まれる。
【発明の効果】
【００３４】
本発明に係る実施例の技術は、以下のような作用効果を有する。
【００３５】
無線充電装置に無線充電モジュールを設け、無線受電装置に無線受電モジュールを設け、そして、無線充電モジュールが無線周波数送信アンテナを介して無線受電モジュールに給電することによって、無線充電装置と無線受電装置との間の遠距離の無線充電を実現することができる。これにより、無線充電装置に無線受電装置の第１の機能モジュールを設け、通信モジュールによって第１の機能モジュールと第２の機能モジュールとの間の相互作用を実現できるので、無線受電装置の使用時におけるフレキシビリティを向上させることができる。
【図面の簡単な説明】
【００３６】
これらの図面は、明細書に組み込まれて本明細書の一部を構成し、本発明に適した実施例を例示し、そして、明細書とともに本発明の原理を解釈するためのものである。
【図１】本発明に係る例示的な一実施例の無線充電システムにおける無線充電装置及び無線受電装置の構成を示すブロック図である。
【図２】本発明に係る他の例示的な実施例の無線充電システムにおける無線充電装置及び無線受電装置の構成を示すブロック図である。
【図３】本発明に係る例示的な一実施例の無線受電装置のディスプレイによる第１の機能モジュールのインタラクティブな制御を示す図である。
【図４】本発明に係る例示的な一実施例の無線受電装置の物理的なボタンによる第１の機能モジュールのインタラクティブな制御を示す図である。
【図５】本発明に係る例示的な一実施例の第１の機能モジュールに基づいて無線受電装置のディスプレイの表示内容をインタラクティブに決定する様子を示す図である。
【図６】本発明に係る例示的な一実施例の第１の機能モジュールにおける機能ユニットを示す図である。
【図７】本発明に係る例示的な一実施例の画像取得方法を示すシーケンス図である。
【図８】本発明に係る他の例示的な実施例の無線充電システムにおける無線充電装置及び無線受電装置の構成を示すブロック図である。
【図９】本発明に係る例示的な一実施例の関連技術における端末の機能モジュールを示す図である。
【図１０】本発明に係る例示的な一実施例の無線充電装置及び無線受電装置がウェアラブルデバイスの形態で装着された時の装着方式を示す図である。
【発明を実施するための形態】
【００３７】
以下、例示的な実施例を詳しく説明し、その例示を図面に示す。図面に関する以下の記載について、特に別の説明がない限り、異なる図面における同一の符号は、同じ又は類似する要素を示す。以下の例示的な実施形態に記載の実施例は、本発明に係る全ての実施例を代表するものではない。即ち、それらは、特許請求の範囲に記載の本発明の１つの態様に係る装置及び方法の例に過ぎない。
【００３８】
図１は、本発明に係る例示的な一実施例の無線充電システム１００の構成を示すブロック図である。上記無線充電システム１００は、図１に示すように、無線充電装置１１０及び無線受電装置１２０を含む。ここで、無線充電装置１１０は、無線周波数送信アンテナ１１５を備える無線充電モジュール１１１と、第１の機能モジュール１１２と、第１の通信モジュール１１３と、含む。無線受電装置１２０は、無線周波数受信アンテナ１２４を備える無線受電モジュール１２１と、第２の機能モジュール１２２と、第２の通信モジュール１２３と、を含む。
【００３９】
無線充電装置１１０において、図１に示すように、第１の機能モジュール１１２は、第１の通信モジュール１１３に接続することができる。無線受電装置１２０において、第２の通信モジュール１２３は、第２の機能モジュール１２２に接続することができる。
【００４０】
まず、上記無線充電装置１１０における無線充電モジュール１１１と、無線受電装置１２０における無線受電モジュール１２１について説明する。
【００４１】
無線充電モジュール１１１は、無線周波数送信アンテナ１１５を介して無線受電装置１２０に電気を供給することができる。無線受電モジュール１２１は、無線周波数受信アンテナ１２４を介して無線充電装置１１０から電気を受信する。
【００４２】
上記無線周波数送信アンテナ１１５と無線周波数受信アンテナ１２４との間の無線周波数による伝送は、無線周波数（ＲＡＤＩＯ Ｆｒｅｑｕｅｎｃｙ、ＲＦ）技術によって行うことができる。ここで、無線周波数は、空間に放射される電磁周波数を示す。上記無線周波数は、高周波交流の電磁波、即ち無線周波数電流である。
【００４３】
無線受電モジュール１２１は、無線周波数受信アンテナ１２４を介して無線充電装置１１０から電気を受信した後、無線受電装置１２０の作動に給電することができる。例えば、無線受電モジュール１２１は、無線受電装置１２０の第２の機能モジュール１２２及び第２の通信モジュール１２３の動作のために給電する。
【００４４】
無線充電装置１１０は、電源に接続され、電源は、上記無線充電装置１１０に給電し、上記無線充電装置１１０は、無線周波数送信アンテナ１１５を介して電源の電気エネルギーを無線受電装置１２０に供給することができる。或いは、上記無線充電装置１１０は、バッテリーを備え、バッテリーは、上記無線充電装置１１０に給電し、上記無線充電装置１１０は、無線周波数送信アンテナ１１５を介してバッテリーの電気エネルギーを上記無線受電装置１２０に供給してもよい。
【００４５】
代替的に、上記無線充電装置１１０がバッテリーを備え、上記バッテリーの電力で無線受電装置１２０に給電する場合、上記無線充電装置１１０と無線受電装置１２０は、電源を利用しない構成とすることができる。即ち、上記無線充電装置１１０及び無線受電装置１２０は、１セットの移動端末デバイスとして実現することができる。
【００４６】
無線充電装置１１０と無線受電装置１２０との間の距離に基づいて、無線充電装置１１０の無線周波数送信アンテナ１１５を介して送信される無線周波数電力を調整することができる。ここで、無線充電装置１１０と無線受電装置１２０とが接触した状態で充電することができ、また、例えば、０.８メートルのような中距離では無線充電を行うことができ、また、例えば、４メートルのような遠距離では無線充電も行うことができる。ここで、遠距離では無線周波数電力が高く、中距離では無線周波数電力が低い。
【００４７】
次に、上記第１の機能モジュール１１２及び第２の機能モジュール１２２について説明する。
【００４８】
第１の機能モジュール１１２は、機能セットにおける第１の機能サブセットを実現し、第２の機能モジュール１２２は、機能セットにおける第２の機能サブセットを実現する。選択的に、上記第１の機能サブセット及び上記第２の機能サブセットには、共通する機能が存在してもよく、機能が互いに独立して存在してもよい。即ち、第２の機能モジュールにより実現される機能と第１の機能モジュールにより実現される機能は、全く異なってもよく、或いは、上記第２の機能モジュールが、上記第１の機能モジュールにおける一部の機能を実現してもよい。
【００４９】
上記機能セットには、センサー機能、表示機能、画像取得機能、オーディオ再生機能、オーディオ取得機能、電話通信機能、ネットワーク通信機能のうちの少なくとも一つを含むことができる。
【００５０】
上記センサー機能は、センサーユニットにより実現することができる。上記センサーユニットには、重力センサー、温度センサー、光センサー、距離センサー及び加速度センサーのうち少なくとも一つを含むことができる。ここで、上記センサーユニットにおけるセンサーは、すべて第１の機能モジュール１１２又は第２の機能モジュール１２２において実現でき、また、その一部が第１の機能モジュール１１２において実現でき、他の一部が第２の機能モジュール１２２において実現することもできる。
【００５１】
表示機能の一例について説明する。上記表示機能は、第１の機能モジュール１１２により実現でき、また、第２の機能モジュール１２２により実現してもよく、さらに、第１の機能モジュール１１２及び第２の機能モジュール１２２により同時に実現してもよい。上記表示機能の実施形態を合わせて説明すると、上記表示機能がディスプレイにより実現される場合、上記第１の機能モジュール１１２には第１のディスプレイが含まれ、及び/又は、第２の機能モジュール１２２には第２のディスプレイが含まれる。
【００５２】
画像取得機能を一例として説明する。上記画像取得機能は、画像取得ユニット（例えば、カメラ）により実現できる。上記カメラは、無線充電装置１１０に配置することができ、即ち、上記カメラが第１の機能モジュール１１２に含まれる。上記カメラは、無線受電装置１２０に配置することができ、即ち、上記カメラが第２の機能モジュール１２２に含まれる。第１の機能モジュール１１２に第１のカメラをさらに配置してもよく、第２の機能モジュール１２２に第２のカメラをさらに配置してもよいが、本発明に係る実施例は、これに限定されるものではない。上記カメラを一つのカメラ素子として実現してもよく、１セットのカメラモジュールとして実現できることに留意すべきである。
【００５３】
典型的に、電話通信機能が第１の機能モジュール１１２における電話通信ユニットにより実現される例について説明する。第２の機能モジュール１２２には、ディスプレイが含まれている。無線充電システム１００により着信イベントが受信された場合、無線受電装置１２０のディスプレイにより着信通知が表示され、そして、ユーザが上記着信通知を確認し着信した後、着信信号が第２の通信モジュール１２３により第１の通信モジュール１１３に送信される。電話通信ユニットは、着信信号に基づいて電話信号を受信し、音声取得ユニットの音声取得機能をオンにする。
【００５４】
第１の機能モジュール１１２と第２の機能モジュール１２２との間の通信は、第１の通信モジュール１１３及び第２の通信モジュール１２３によって行うことができる。
【００５５】
上記無線充電システム１００は、演算機能を実現するプロセッサーをさらに含むことができる。上記プロセッサーは、無線充電装置１１０に実装することができるが、無線受電装置１２０に実装してもよい。無線充電装置１１０には、第１のプロセッサーをさらに設けてもよく、無線受電装置１２０には、第２のプロセッサーを設けてもよい。
【００５６】
プロセッサーを無線充電装置１１０に設置した場合、上記第１の機能モジュール１１２の機能は、上記プロセッサーのトリガ信号に基づいて実現でき、第２の機能モジュール１２２の機能は、プロセッサーによりトリガ信号が生成され、第１の通信モジュール１１３によって第２の通信モジュール１２３に送信された後、第２の通信モジュール１２３により受信されたトリガ信号に基づいて実現することができる。一方、プロセッサーを無線受電装置１２０に設置した場合、上記第１の機能モジュール１１２の機能は、上記プロセッサーによりトリガ信号が生成され、第２の通信モジュール１２３によって第１の通信モジュール１１３に送信された後、第１の通信モジュール１１３により受信されたトリガ信号に基づいて実現でき、第２の機能モジュール１２２の機能は、上記プロセッサーによってトリガ信号が生成された後に実現することができる。或いは、無線充電装置１１０に第１のプロセッサーを設置し、無線受電装置１２０に第２のプロセッサーを設置した場合、第１の機能モジュール１１２の機能は、第１のプロセッサーにより生成又は受信されたトリガ信号に基づいて実現でき、第２の機能モジュール１２２の機能は、第２のプロセッサーにより生成又は受信されたトリガ信号に基づいて実現できる。また、第１の機能モジュール１１２と第２の機能モジュール１２２との機能が相互に作用する場合、プロセッサーによってインタラクティブ信号が生成された後、第１の通信モジュール１１３と第２の通信モジュール１２３によってインタラクティブな通信処理を実現することができる。
【００５７】
代替的な一実施例では、図２を参照すると、無線充電装置１１０は、上記プロセッサー１１４を含み、上記第２の機能モジュール１２２は、上記表示機能を実現するディスプレイ１２５を含む。
【００５８】
上記第１の機能モジュール１１２は、プロセッサー１１４により送信されるトリガ信号を受信し、トリガ信号に対応する処理を実行することができる。
【００５９】
代替的に、上記プロセッサー１１４は、第１の通信モジュール１１３によって表示信号を第２の通信モジュール１２３に送信することもできる。上記ディスプレイ１２５は、第２の通信モジュール１２３により受信される表示信号に基づいて、対応する内容を表示することもできる。
【００６０】
代替的に、上記無線受電装置１２０は、上記無線受電モジュール１２１、ディスプレイ１２５、第２の通信モジュール１２３のみを備えることができる。
【００６１】
代替的に、上記第１の機能モジュール１１２により受信されるプロセッサー１１４によって送信されたトリガ信号は、プロセッサー１１４が無線受電装置１２０により受信されたトリガ処理に基づいて生成されるトリガ信号であってもよく、プロセッサー１１４が無線充電装置１１０により受信された通知メッセージに基づいて生成されるトリガ信号であってもよい。
【００６２】
上記の状況に対して、それぞれ説明する。第１の状況として、無線受電装置１２０におけるディスプレイ１２５は、タッチ機能を有し、タッチ信号を受信するタッチディスプレイである。上記ディスプレイ１２５は、第２の通信モジュール１２３によってタッチ信号を第１の通信モジュール１１３に送信することもできる。無線充電装置１１０におけるプロセッサー１１４は、第１の通信モジュール１１３により受信されたタッチ信号を基づいてトリガ信号を生成し、上記トリガ信号を第１の機能モジュール１１２に送信する。
【００６３】
例示として、図３を参照すると、上記第１の機能モジュール１１２は、スピーカーユニット３１１を含む。ディスプレイ１２５には、音楽再生インタフェース３２０が表示される。ディスプレイ１２５は、タッチ信号を受信した後、上記タッチ信号を、第２の通信モジュール１２３を介して第１の通信モジュール１１３に送信する。ここで、上記タッチ信号には、ユーザによる上記ディスプレイ１２５上のタッチ座標が含まれている。プロセッサー１１４は、上記第１の通信モジュール１１３を介して受信した上記タッチ信号を取得し、上記タッチ信号に対応するタッチ座標に基づいて上記タッチ信号に対応するコントロールが再生コントロール３２１であると判断することができる。プロセッサー１１４は、上記タッチ信号に基づいて再生トリガ信号を生成し、音楽再生が行われるように、上記再生トリガ信号をスピーカーユニットに送信する。
【００６４】
第２の状況として、無線受電装置１２０は物理的なボタンを含む。上記物理的なボタン上に位置において操作信号を受信した場合、第２の通信モジュール１２３が上記操作信号を第１の通信モジュール１１３に送信する。無線充電装置１１０におけるプロセッサー１１４は、第１の通信モジュール１１３を介して受信した操作信号に基づいてトリガ信号を生成し、上記トリガ信号を第１の機能モジュール１１２に送信する。
【００６５】
例示として、図４を参照すると、上記第１の機能モジュール１１２は、画像取得ユニット４１１を含む。上記無線受電装置１２０は、ロック画面ボタン４１０を含む。無線受電装置１２０は、ロック画面状態になり、上記ロック画面ボタン４１０上において操作信号を受信した場合、第２の通信モジュール１２３を介して上記操作信号を第１の通信モジュール１１３に送信する。プロセッサー１１４は、上記第１の通信モジュール１１３を介して受信した操作信号に基づいて画像取得信号を生成し、上記画像取得信号を画像取得ユニット４１１に送信して、画像の取得を行う。上記画像取得ユニット４１１により取得した画像を用いて顔識別を行うことによって、上記無線受電装置１２０のアプリケーションをアンロックすることができる。即ち、無線充電装置における上記無線受電装置の機能を実現するモジュールをアンロックすることができる。
【００６６】
代替的に、上記実施例において、物理的なボタンが無線受電装置１２０に位置する例について説明したが、代替的な一実施例では、上記物理的なボタンを無線充電装置１１０に配置して、無線充電装置１１０において直接に操作信号を生成し、第１の機能モジュール１１２の処理を制御することができる。
【００６７】
第３の状況として、無線充電装置１１０は、ネットワーク通信モジュールを含む。プロセッサー１１４は、上記ネットワーク通信モジュールを介して通知メッセージを受信した場合、上記通知メッセージに基づいてトリガ信号を生成し、上記トリガ信号を第１の機能モジュール１１２に送信する。
【００６８】
典型的には、上記第１の機能モジュール１１２にスピーカーユニットが含まれ、上記無線充電装置１１０にネットワーク通信モジュールが含まれ、上記ネットワーク通信モジュールを介して通知メッセージが受信した場合、プロセッサー１１４は、上記通知メッセージに基づいてオーディオ提示信号を生成し、上記オーディオ提示信号をスピーカーユニットに送信することで、提示音を再生する。
【００６９】
第４の状況として、無線充電装置１１０は、タイマーを含む。上記タイマーに時刻を設定し、設定された時刻になった場合、タイマーが自動的にトリガ信号を生成し、上記トリガ信号をプロセッサー１１４に送信する。そして、プロセッサー１１４は、上記トリガ信号を第１の機能モジュール１１２に送信する。
【００７０】
典型的に、上記第１の機能モジュール１１２にスピーカーユニットが含まれ、無線充電装置１１０にタイマーが含まれ、上記タイマーに第１の時刻が設定され、無線充電装置１１０の時計の時刻が上記第１の時刻になった場合、タイマーが自動的にトリガ信号を生成し、上記トリガ信号をプロセッサー１１４に送信し、その後、プロセッサー１１４が上記トリガ信号をスピーカーユニットに送信することで、スピーカーユニットにより提示音の再生が行われる。
【００７１】
代替的に、プロセッサー１１４は、第１の通信モジュール１１３を介して表示信号を第２の通信モジュール１２３に送信することもできる。ディスプレイ１２５は、第２の通信モジュールを介して受信した表示信号に基づいて、対応する内容を表示する。
【００７２】
代替的に、上記表示信号は、無線充電装置１１０において自動的に生成してもよく、無線充電装置１１０において第１の機能モジュール１１２の処理に基づいて生成してもよく、無線充電装置１１０におけるネットワーク通信モジュールが受信した通知メッセージに基づいて生成することもできる。
【００７３】
上記の状況に対して、それぞれ説明する。第１の状況として、無線充電装置１１０はタイマーを含む。上記タイマーに時刻が設定され、設定された時刻になった場合、タイマーが自動的に表示信号を生成し、上記表示信号をプロセッサー１１４に送信し、その後、プロセッサー１１４が第１の通信モジュール１１３によって上記表示信号を第２の通信モジュール１２３に送信する。
【００７４】
例示として、図５を参照すると、無線充電装置１１０にはタイマー５１０が含まれており、上記タイマー５１０に第１の時刻が設定され、無線充電装置１１０の時計の時刻が上記第１の時刻になった場合、タイマー５１０が自動的に表示信号を生成し、上記表示信号をプロセッサー１１４に送信し、その後、プロセッサー１１４が第１の通信モジュール１１３によって上記表示信号を第２の通信モジュール１２３に送信した後、無線受電装置１２０のディスプレイ１２５は、上記第２の通信モジュール１２３を介して受信した表示信号に基づいて、目覚まし時計のインターフェイス５２０を表示する。
【００７５】
第２の状況として、第１の機能モジュール１１２がトリガ信号を受信し、上記トリガ信号に対応する処理を実行した後、処理結果を生成してプロセッサー１１４に送信し、その後、プロセッサー１１４は、処理結果に基づいて表示信号を生成し、第１の通信モジュール１１３を介して上記表示信号を第２の通信モジュール１２３に送信する。
【００７６】
第３の状況として、無線充電装置１１０は、ネットワーク通信モジュールを含む。プロセッサー１１４は、上記ネットワーク通信モジュールを介して通知メッセージを受信した場合、上記通知メッセージに基づいて表示信号を生成し、第１の通信モジュール１１３によって上記表示信号を第２の通信モジュール１２３に送信する。
【００７７】
上記無線充電装置１１０は、さらにメモリを備えることができる。上記無線充電装置１１０には、オペレーティングシステム及びアプリケーションプログラムがインストールされている。上記オペレーティングシステム及びアプリケーションに対応する表示インタフェースは、第１の通信モジュール１１３と第２の通信モジュール１２３との間の通信によってディスプレイ１２５に表示される。
【００７８】
上記無線充電モジュール１１１と無線受電モジュール１２１との間の給電処理又は無線充電処理は、上記第１の通信モジュール１１３と第２の通信モジュール１２３との間の通信処理に対して互いに独立して実行されることに留意すべきである。
【００７９】
以上の説明をまとめると、無線充電装置に無線充電モジュールを設け、無線受電装置に無線受電モジュールを設け、そして、無線充電モジュールが無線周波数送信アンテナによって無線受電モジュールに給電することによって、無線充電装置と無線受電装置との間の遠距離の無線充電を実現することができる。これにより、無線充電装置に無線受電装置の第１の機能モジュールを設け、通信モジュールによって第１の機能モジュールと第２の機能モジュールとの間の相互作用を実現できるので、無線受電装置の使用におけるフレキシビリティを向上することができる。
【００８０】
上記第１の通信モジュール１１３と第２の通信モジュール１２３との間の通信は、超広帯域無線のキャリアフリー通信方式（Ｕｌｔｒａ  Ｗｉｄｅｂａｎｄ、ＵＷＢ）方式により行うことができる。代替的に、上記第１の通信モジュール１１３と第２の通信モジュール１２３との間の通信は、無線ネットワークにより行うこともできるが、本発明に係る実施例は、これに限定されるものではない。
【００８１】
図６を参照すると、上記第１の機能モジュール１１２は、センサーユニット６１０、画像取得ユニット６２０、スピーカーユニット６３０、オーディオ取得ユニット６４０のうちの少なくとも一つを含み得る。ここで、上記センサーユニットは、第１の機能モジュール１１２が上記センサーユニット６１０を含む場合、重力センサー６１１、温度センサー６１２、光センサー６１３、距離センサー６１４及び加速度センサー６１５のうちの少なくとも一つを含み得る。
【００８２】
上記第１の機能モジュール１１２に含まれる機能ユニットは、単に典型的な一例に過ぎない。上記第１の機能モジュール１１２は、他の機能ユニットをさらに含むことができる。代替的に、端末における機能ユニットのすべてが、上記第１の機能モジュール１１２により実現することができるが、本発明に係る実施例は、これに限定されるものではないことに留意すべきである。
【００８３】
代替的に、上記画像取得ユニット６２０は、第１の機能モジュール１１２に画像取得ユニット６２０が含まれる場合、画像を取得し、取得した対象画像をプロセッサー１１４に送信する。プロセッサー１１４は、対象画像に基づいて対応する表示信号を生成し、第１の通信モジュール１１３を介して表示信号を第２の通信モジュール１２３に送信する。ディスプレイ１２５は、第２の通信モジュール１２３を介して受信した上記表示信号に基づいて対象画像を表示する。
【００８４】
典型的に、図７は、本発明に係る例示的な一実施例の画像取得方法を示すシーケンス図である。上記画像取得方法が図１に示すような無線充電システムに適用され、第１の機能モジュール１１２が画像取得ユニット６２０を含む例について説明する。上記画像取得方法は、以下のステップを含む。
【００８５】
ステップ７０１において、無線受電装置のディスプレイに機能選択インタフェースを表示する。無線充電装置は、さらにメモリを備えることができる。上記メモリにはオペレーションシステム及びアプリケーションプログラムがインストールされている。代替的に、上記機能選択インタフェースは、オペレーションシステムにより提供される表示インタフェースであってもよく、アプリケーションプログラムにより提供される表示インタフェースであってもよい。上記アプリケーションプログラムは、リアルタイム通信アプリケーションプログラム、金融アプリケーションプログラム、マルチメディアアプリケーションプログラム、ゲームアプリケーションプログラムのうちの少なくとも一つを含み得る。典型的には、上記機能選択インタフェースは、リアルタイム通信アプリケーションプログラムにより提供される表示インタフェースであり、上記機能選択インタフェースには、撮影機能に対応する撮影コントロールが含まれている。
【００８６】
ステップ７０２において、ディスプレイでタッチ信号を受信する。上記タッチ信号は、上記撮影コントロールに対するタッチ動作に対応する信号とすることができる。上記タッチ信号には、上記タッチ動作に対応する上記ディスプレイのタッチ座標が含まれ得る。
【００８７】
ステップ７０３において、ディスプレイは、第２の通信モジュールを介してタッチ信号を無線充電装置の第１の通信モジュールに送信する。上記第２の通信モジュールは、ＵＷＢの通信方式に基づいてタッチ信号を第１の通信モジュールに送信することができる。
【００８８】
ステップ７０４において、第１の通信モジュールは、タッチ信号をプロセッサーに送信する。
【００８９】
ステップ７０５において、プロセッサーは、上記タッチ信号に対応するコントロールが撮影コントロールであると判断すると、撮影トリガ信号を生成する。プロセッサーは、タッチ信号に対応するタッチ座標及びディスプレイに現在表示されているインタフェース内容に基づいて、上記タッチ信号に対応するコントロールが撮影コントロールであると判断することができる。
【００９０】
ステップ７０６において、プロセッサーは、撮影トリガ信号を画像取得ユニットに送信する。プロセッサーは、上記タッチ信号に基づいて上記タッチ信号に対応するコントロールが撮影コントロールであると判断した後、上記撮影コントロールに対応する第１の機能モジュールが画像取得ユニットであると判断し、撮影トリガ信号を上記画像取得ユニットに送信することができる。
【００９１】
ステップ７０７において、画像取得ユニットは、撮影トリガ信号に基づいて画像取得し、対象画像を取得する。代替的に、上記対象画像は、１枚の画像であってもよく、複数枚の画像を含むビデオストリームであってもよい。
【００９２】
ステップ７０８において、画像取得ユニットは、対象画像をプロセッサーに送信する。プロセッサーは、対象画像およびディスプレイの他の表示内容に基づいて、ディスプレイでの上記対象画像の表示方式を決定することができる。上記プロセッサーには、中央処理ユニット（Central Processing Unit、ＣＰＵ）及びグラフィックスプロセッシングユニット（Ｇｒａｐｈｉｃｓ Ｐｒｏｃｅｓｓｉｎｇ Ｕｎｉｔ、ＧＰＵ）を含まれ得る。ここで、ＣＰＵは、ディスプレイの表示内容について演算処理を行い、ＧＰＵは、ディスプレイの表示内容についてレンダリングを行う。
【００９３】
ステップ７０９において、プロセッサーは、対象画像に基づいて表示信号を生成する。上記表示信号には、ディスプレイの表示内容から変換された信号が含まれ得る。
【００９４】
ステップ７１０において、プロセッサーは、第１の通信モジュールを介して表示信号を第２の通信モジュールに送信する。
【００９５】
ステップ７１１において、第２の通信モジュールは、表示信号をディスプレイに送信する。
【００９６】
ステップ７１２において、ディスプレイは、表示信号に基づいて画像取得ユニットにより取得された対象画像を表示する。ディスプレイの表示内容には、上記対象画像が含まれ得る。上記ディスプレイの表示内容には、例えば、撮影パラメータ、撮影設置欄等の他の内容がさらに含まれ得る。
【００９７】
図７に示す画像取得方法は、単に第１の機能モジュール１１２に画像取得ユニット６２０が含まれる例について説明したが、上記画像取得ユニット６２０は、第１の機能モジュール１１２に他の機能ユニットが含まれる場合、他の機能ユニットとしても実現することができる。また、上記画像取得ユニット６２０により実現される機能は、第１の機能モジュール１１２における実際の機能ユニットに応じて変更されることに留意すべきである。
【００９８】
代替的に、上記の画像取得ユニット６２０を一つのカメラとして実現してもよく、複数のカメラを備えるカメラモジュールとして実現してよい。
【００９９】
代替的な一実施例において、上記の無線充電モジュール１１１には、図８に示すように、第１のブルートゥース（登録商標）ユニット８１１と、生体識別ユニット８１２と、充電管理ユニット８１３と、ビーム形成管理ユニット８１４と、パワーアンプ８１５とをさらに含む。上記無線受電モジュール１２１は、第２のブルートゥースユニット８２１と、受電管理ユニット８２２とをさらに含む。
【０１００】
ここで、生体識別ユニット８１２は、無線充電装置１１０と生体との間の距離を決定する。生体識別ユニット８１２は、周辺の温度を検出することによって、無線充電装置１１０と生体（例えば、人体）との間の距離を決定し、または、脈拍を検出することによって無線充電装置と生物体との間の距離を決定することができる。
【０１０１】
生体識別ユニット８１２は、決定結果を第１のブルートゥースユニット８１１に送信することができる。第１のブルートゥースユニット８１１と第２のブルートゥースユニット８２１との間の通信は、低消費電力ブルートゥース（Ｂｌｕｅｔｏｏｔｈ Ｌｏｗ Ｅｎｅｒｇｙ、ＢＬＥ）技術により行うことができる。上記第１のブルートゥースユニット８１１及び第２のブルートゥースユニット８２１によって、上記無線充電装置１１０と無線受電装置１２０との間の距離を決定し、無線受電装置１２０と生体との間の距離を決定することによって、上記無線充電モジュール１１１が無線受電モジュール１２１に給電する給電電力を決定することができる。上記給電電力は、無線充電モジュール１１１から無線受電モジュール１２１への給電効率が高く、給電電力による生体への影響（例えば、放射線）が最も低いものとすることができる。
【０１０２】
充電管理ユニット８１３は、第１のブルートゥースユニット８１１による距離の決定結果に基づいて、給電電力を制御することができる。ビーム形成管理ユニット８１４は、無線周波数信号のバンド幅を調整することができる。パワーアンプ８１５は、無線周波数信号に対して電力の増幅処理を行うことができる。
【０１０３】
上記受電管理ユニット８２２は、無線周波数受信アンテナ１２４を介して受信した無線周波数信号を管理することができる。
【０１０４】
上記無線受電モジュール１２１は、充電器管理ユニット８２３及びバッテリー８２４をさらに含み得る。ここで、充電器管理ユニット８２３は、バッテリー８２４への充電処理を管理する。無線充電モジュール１１１は、無線周波数送信アンテナ１１５を介して無線受電装置１２０のバッテリー８２４を、無線によって充電する。無線受電モジュール１２１は、無線周波数受信アンテナ１２４を介して無線充電装置１１０から無線によってバッテリー８２４が充電されると、バッテリー８２４が無線受電装置１２０の動作のために給電する。
【０１０５】
関連技術において、携帯電話、タブレットＰＣなどの移動端末には、ディスプレイ９１０、オーディオ入力ユニット９２０、オーディオ出力ユニット９３０、電源管理ユニット９４０、画像取得ユニット９５０などの様々な機能ユニットが組み込まれている。さらに、上記移動端末には、プロセッサー９６０が含まれており、上記の機能ユニットは、いずれも移動端末に組み込まれているため、移動端末の負荷を増加させる。上記移動端末９００は、図９に示すように、一体型のモバイルデバイスであり、上記機能ユニットがいずれも上記移動端末９００に組み込まれている。
【０１０６】
本発明に係る実施例において、上記無線充電装置１１０は、第１のウェアラブルデバイスとして実現でき、無線受電装置１２０は、ハンドヘルドデバイス又は第２のウェアラブルデバイスとして実現できる。
【０１０７】
典型的には、無線充電装置１１０が第１のウェアラブルデバイスとして実現され、無線受電装置１２０が第２のウェアラブルデバイスとして実現される場合、上記無線充電装置１１０の装着方式には、手首に巻き付けて装着する方式が含まれ、上無線受電装置の装着方式には、スマートメガネの形態で装着する方式が含まれる。
【０１０８】
例示として、図１０を参照すると、ユーザの手首には、無線充電装置１０１０が装着されている。上記無線充電装置１０１０は、スマートウォッチの形態で上記ユーザの手首に装着されている。ユーザの顔には、無線受電装置１０２０が装着されている。上記無線受電装置１０２０は、スマートメガネの形態でユーザの顔に装着されている。上記無線充電装置１０１０と無線受電装置１０２０との間の無線給電又は無線充電は、ＲＦ技術を用いて行うことができる。また、上記無線充電装置１０１０と無線受電装置１０２０との間の通信は、ＵＷＢ技術によって行われる。これにより、上記無線受電装置１０２０は、無線充電装置１０１０のプロセッサーにより送信された表示内容を、レンズを用いて表示することができる。
【０１０９】
以上の説明をまとめると、本発明に係る無線充電装置によると、無線充電装置に無線充電モジュールを設け、無線受電装置に無線受電モジュールを設け、そして、無線充電モジュールが無線周波数送信アンテナを介して無線受電モジュールを給電することによって、無線充電装置と無線受電装置との間の遠距離の無線充電を実現することができる。これにより、無線充電装置に無線受電装置の第１の機能モジュールを設け、通信モジュールによって第１の機能モジュールと第２の機能モジュールとの間の相互作用を実現できるので、無線受電装置の使用時におけるフレキシビリティを向上させることができる。
【０１１０】
本発明に係る無線充電システムによると、設計がフレキシブルであり、人工知能(ＡＩ)分野の発展に応じて、端末と人工知能分野との間の接続を満足させ、そして、特定の分野では、例えば、究極的なパフォーマンスを体験できるゲームフォン及び端末の動作時間がより長くなり、端末の充電速度がより速くなる等のユーザのニーズを満足させることができ、そして、無線充電装置及び無線受電装置を携帯しやすく、フレキシブルに使用できるので、ユーザにおける表示およびタッチの相互に作用する体験を向上させることができる。
【０１１１】
上記の実施例において、無線充電装置１１０及び無線受電装置１２０が一つの無線充電システムとして実現される例について説明したが、実際の動作において、上記無線充電システムにおける無線充電装置１１０及び無線受電装置１２０が二つの独立する移動端末として実現できることに留意すべきである。
【０１１２】
本明細書に記載されている「複数」は、２つ以上を意味することを理解すべきである。「及び／又は」は、関連する対象の関係を表現し、３つの関係が存在し得ることを示す。例えば、Ａ及び/又はＢは、Ａのみが存在し、ＡとＢが同時に存在し、Ｂのみが存在するという３つの状況を表すことが可能である。文字「／」は、一般的に、前後の関連する対象が「又は」の関係であることを表す。
【０１１３】
以上の本発明に係る実施例の番号は、単に説明するためのものであり、実施例の優劣を表すものではない。
【０１１４】
当業者であれば、上記の実施例を実現するステップの全部または一部がハードウェアにより実行でき、関連するハードウェアにより実行されるようにプログラムによって指示できる。上記プログラムは、コンピュータ読み取り可能な記録媒体に格納でき、当該記憶媒体は、読み取り専用メモリ、磁気メモリ、或いは光ディスク等であってもよいことを、理解できる。
【０１１５】
上記説明は、本発明の好ましい実施例にすぎず、本発明の請求範囲を限定するものではない。本発明の趣旨と原理に反しない限り、任意の修正、均等物の置換、改善などは、いずれも本発明の特許請求の範囲に含まれるべきである。
【０１１６】
本願は、出願番号が２０１９１０３２５１９２．６であって、出願日が２０１９年４月２２日である中国特許出願に基づいて優先権を主張し、当該中国特許出願の内容の全てを本願に援用する。
【図１】
2021525052.tif 000003
【図２】
2021525052.tif 000004
【図３】
2021525052.tif 000005
【図４】
2021525052.tif 000006
【図５】
2021525052.tif 000007
【図６】
2021525052.tif 000008
【図７】
2021525052.tif 000009
【図８】
2021525052.tif 000010
【図９】
2021525052.tif 000011
【図１０】
2021525052.tif 000012
【国際調査報告】
2021525052.tif 000013
2021525052.tif 000014
2021525052.tif 000015
2021525052.tif 000016